(57)【要約】【課題】ユーザが間違ったチャンネルを選択した時に、リモコンのチャンネルボタン配置とユーザがリモコンから選局を行った操作手順に基づいて、ユーザの選局補助を行う放送受信装置及び放送受信装置における選局方法を提供する。【解決手段】放送電波を受信する受信手段と、ユーザが視聴する放送番組のチャンネル番号を選択するチャンネル選択手段と、ユーザが選択したチャンネル番号の放送番組を表示する表示手段と、チャンネル選択手段で選択されたチャンネルが無信号であるかを判定する無信号判定手段と、チャンネル選択手段により選択されたチャンネルが無信号判定手段で無信号と判定されたときに、該チャンネルと他チャンネルの配置に基づいて該チャンネルの代替となり得るチャンネル候補を取り出すチャンネル候補取出手段と、チャンネル候補のチャンネルを表示するチャンネル候補表示手段とを備え、チャンネル候補のチャンネルを取り出し表示する。【選択図】図４
2009105814.tif 000002
【特許請求の範囲】
【請求項１】
放送電波を受信する受信手段と、
放送番組のチャンネル番号を選択するチャンネル選択手段と、
選択したチャンネル番号の放送番組を表示する表示手段と、
を備えた放送受信装置において、
前記チャンネル選択手段で選択されたチャンネルが無信号であるかを判定する無信号判定手段と、
前記チャンネル選択手段により選択されたチャンネルが前記無信号判定手段で無信号と判定されたときに、該チャンネルと他チャンネルの配置に基づいて該チャンネルの代替となり得るチャンネル候補を取り出すチャンネル候補取出手段と、
前記チャンネル候補のチャンネルを表示するチャンネル候補表示手段と、
を備えたことを特徴とする放送受信装置。
【請求項２】
前記チャンネル選択手段においてチャンネルが選択されるときに、前記放送受信装置で選択できる桁数のチャンネルを選択することができ、
前記チャンネル候補取出手段は、チャンネルを選択できる桁数と同じ桁数の前記チャンネル候補を取り出すことを特徴とする請求項１に記載の放送受信装置。
【請求項３】
前記チャンネル候補取出手段は、前記チャンネル選択手段で選択したチャンネルのチャンネルボタンの上下左右に配置されたチャンネルボタンに基づいて、前記チャンネル候補を取り出すことを特徴とする請求項１または請求項２のいずれか一項に記載の放送受信装置。
【請求項４】
前記チャンネル候補取出手段で取り出したチャンネルが無信号であるかを判定し、無信号であれば前記チャンネル候補から無信号のチャンネルを削除することを特徴とする請求項１から請求項３のいずれか一項に記載の放送受信装置。
【請求項５】
前記チャンネル候補取出手段で取り出したチャンネルが直前に選択したチャンネルであるかを判定し、直前に選択したチャンネルであれば前記チャンネル候補から直前に選択したチャンネルを削除することを特徴とする請求項１から請求項４のいずれか一項に記載の放送受信装置。
【請求項６】
前記チャンネル候補表示手段は、前記チャンネル候補のチャンネルの番号を並べたチャンネル番号一覧を表示することを特徴とする請求項１から請求項５のいずれか一項に記載の放送受信装置。
【請求項７】
前記チャンネル候補表示手段は、前記チャンネル候補のチャンネル映像の画面を並べたチャンネル画面一覧を表示することを特徴とする請求項１から請求項５のいずれか一項に記載の放送受信装置。
【請求項８】
前記チャンネル番号一覧または前記チャンネル画面一覧は、チャンネル番号の昇順に並べて表示することを特徴とする請求項６または請求項７のいずれか一項に記載の放送受信装置。
【請求項９】
前記チャンネル候補表示手段で表示された前記チャンネル候補からチャンネルを選択することができるチャンネル候補選択手段を備えることを特徴とする請求項６から請求項８のいずれか一項に記載の放送受信装置。
【請求項１０】
放送電波を受信する受信工程と、
放送番組のチャンネル番号を選択するチャンネル選択工程と、
選択したチャンネル番号の放送番組を表示する表示工程と、
を備えた選局方法において、
前記チャンネル選択工程で選択されたチャンネルが無信号であるかを判定する無信号判定工程と、
前記チャンネル選択工程により選択されたチャンネルが前記無信号判定工程で無信号と判定されたときに、該チャンネルと他チャンネルの配置に基づいて該チャンネルの代替となり得るチャンネル候補を取り出すチャンネル候補取出工程と、
前記チャンネル候補のチャンネルを表示するチャンネル候補表示工程と、
を備えたことを特徴とする選局方法。
【発明の詳細な説明】
【技術分野】
【０００１】
本発明は、放送受信装置及び放送受信装置における選局方法に係り、特に放送受信装置においてユーザが間違えて選局したチャンネルが無信号の場合に、ユーザの選局を補助することができる放送受信装置及び放送受信装置における選局方法に関するものである。
【背景技術】
【０００２】
従来の放送受信装置の選局は、ユーザがリモコンのボタンを操作して行っていた。このような選局方法において、ユーザが間違って選択したチャンネルが無信号の場合は、無信号のチャンネルが選択されたことを画面に表示したり、または強制的に他チャンネルに切替えたり、更に、過去の履歴により受信頻度の多いチャンネルを選択させていた。例えば、特許文献１に開示された発明は、チャンネル数の多いディジタル放送を受信する装置において、本体又はリモコンにより選択したチャンネルが無信号であってもその直前に選択したチャンネルまたは受信頻度の多いチャンネルを選択することができるようにしていた。
【０００３】
【特許文献１】特開２０００−１２５２１８号公報
【発明の開示】
【発明が解決しようとする課題】
【０００４】
しかしながら、ユーザが間違ったチャンネル選択をしたときは、再度チャンネル選択をする必要がある。しかし、直前に選択したチャンネルや過去に受信頻度の多いチャンネルがユーザの所望のチャンネルとは限らないので、これらのチャンネルに切り替えるとユーザは再びチャンネル選択を行わなければならなかった。
【０００５】
本発明の目的は、ユーザが間違ったチャンネルを選択したときに、正しい選択がすぐにできるように、間違って押したリモコンのチャンネルボタン配置に基づいて目的のチャンネルを推測し、ユーザのチャンネル選択の補助を行うことができる放送受信装置及び放送受信装置における選局方法に関するものである。
【課題を解決するための手段】
【０００６】
本発明の放送受信装置は、放送電波を受信する受信手段と、放送番組のチャンネル番号を選択するチャンネル選択手段と、選択したチャンネル番号の放送番組を表示する表示手段と、を備えた放送受信装置において、前記チャンネル選択手段で選択されたチャンネルが無信号であるかを判定する無信号判定手段と、前記チャンネル選択手段により選択されたチャンネルが前記無信号判定手段で無信号と判定されたときに、該チャンネルと他チャンネルの配置に基づいて該チャンネルの代替となり得るチャンネル候補を取り出すチャンネル候補取出手段と、前記チャンネル候補のチャンネルを表示するチャンネル候補表示手段と、を備えたことを特徴としている。
また、前記チャンネル選択手段においてチャンネルが選択されるときに、前記放送受信装置で選択できる桁数のチャンネルを選択することができ、前記チャンネル候補取出手段は、チャンネルを選択できる桁数と同じ桁数の前記チャンネル候補を取り出すことを特徴としている。
また、前記チャンネル候補取出手段は、前記チャンネル選択手段で選択したチャンネルのチャンネルボタンの上下左右に配置されたチャンネルボタンに基づいて、前記チャンネル候補を取り出すことを特徴としている。
また、前記チャンネル候補取出手段で取り出したチャンネルが無信号であるかを判定し、無信号であれば前記チャンネル候補から無信号のチャンネルを削除することを特徴としている。
また、前記チャンネル候補取出手段で取り出したチャンネルが直前に選択したチャンネルであるかを判定し、直前に選択したチャンネルであればチャンネル候補から直前に選択したチャンネルを削除することを特徴としている。
また、前記チャンネル候補表示手段は、前記チャンネル候補のチャンネルの番号を並べたチャンネル番号一覧を表示することを特徴としている。
また、前記チャンネル候補表示手段は、前記チャンネル候補のチャンネル映像の画面を並べたチャンネル画面一覧を表示することを特徴としている。
また、前記チャンネル番号一覧または前記チャンネル画面一覧は、チャンネル番号の昇順に並べて表示することを特徴としている。
また、前記チャンネル候補表示手段で表示された前記チャンネル候補からチャンネルを選択することができるチャンネル候補選択手段を備えることを特徴としている。
また、本発明の選局方法は、放送電波を受信する受信工程と、放送番組のチャンネル番号を選択するチャンネル選択工程と、選択したチャンネル番号の放送番組を表示する表示工程と、を備えた選局方法において、前記チャンネル選択工程で選択されたチャンネルが無信号であるかを判定する無信号判定工程と、前記チャンネル選択工程により選択されたチャンネルが前記無信号判定工程で無信号と判定されたときに、該チャンネルと他チャンネルの配置に基づいて該チャンネルの代替となり得るチャンネル候補を取り出すチャンネル候補取出工程と、前記チャンネル候補のチャンネルを表示するチャンネル候補表示工程と、を備えたことを特徴としている。
【発明の効果】
【０００７】
本発明によれば、ユーザが間違ったチャンネルを選択したときに、正しい選択がすぐにできるように、ユーザが押したリモコンのチャンネルボタン配置に基づいて目的のチャンネルを推測し、ユーザのチャンネル選択の補助を行うことができる。
【発明を実施するための最良の形態】
【０００８】
以下、本発明の実施形態について図面を参照して説明する。
（第１の実施の形態）
本発明の第１の実施形態は、ユーザが選択したチャンネルのチャンネル番号が１桁である場合のチャンネル選択の補助を行うことができる実施形態である。図１は、本発明の第１の実施形態である放送受信装置の主要な構成を示す機能ブロック図である。この放送受信装置１は、映像及び音声からなる放送電波と放送番組情報とを各放送局から受信する。また、放送受信装置１は、ユーザが選択したチャンネルの信号有無を判定し、チャンネル信号が無いときは、チャンネル候補を提示して目的のチャンネルを選局するように促すことができる。
【０００９】
図１の放送受信装置１は、アンテナ２で受信された放送電波を映像信号及び音声信号に変換し、ＴＶモニタ３(表示手段)はこれら映像信号及び音声信号に基づき映像及び音声を出力する。ユーザはリモコン４(チャンネル選択手段)を用いて放送受信装置１を遠隔操作して、放送受信装置１の電源オンオフ操作や視聴する放送番組のチャンネル選択を行うことができる。
【００１０】
以下、図１の放送受信装置１の構成について説明する。
【００１１】
図１に示すデジタルチューナ１１(受信手段)は、放送電波を適宜選択的に復調してトランスポートストリームパケット(ＴＳパケット)をＴＳデコーダ１２(ＤeＭｕｘ処理部)に出力する。ＴＳデコーダ１２は、このＴＳパケットから所望の放送番組に関する映像データ及び音声データを抽出する。抽出された映像データ及び音声データは、ＭＰＥＧ−２によって符号化されているデジタルデータである。音声処理部１３はＴＳデコーダ１２からの符号化された音声データを復号化し、また、映像処理部１４はＴＳデコーダ１２からの符号化された映像データを復号化する。
【００１２】
表示処理部１５は、映像処理部１４にて復号化された映像データに、ＯＳＤ処理部１６(チャンネル候補表示手段)にて生成されるＯＳＤ表示の画面を重ね合わせた後、その重ね合わせた映像データをテレビジョン信号に変換してＴＶモニタ３に出力する。このＯＳＤ表示の画面には、ユーザが間違ったチャンネルを選択した場合に表示されるチャンネル候補画面が含まれる。また、音声処理部１３にて復号化された音声データを基に、ＴＶモニタ３に設けられたスピーカから音声が出力される。
【００１３】
制御部１７は、ユーザによるリモコン４の操作に基づきチャンネルを切り替えながら、これら各部１１〜１６の動作を制御するようになっている。加えて、制御部１７は、ユーザによるリモコン４の操作に基づく電源オンオフ操作、視聴する放送番組のチャンネル選択の操作を受け付け処理等をすることができる。メモリ１８は放送受信装置１の基本機能を実現するためのプログラムや制御部１７が実行するプログラムとこのプログラムで用いられるデータを一時的に記憶し、またユーザが選択したチャンネルのチャンネル番号の履歴である選択チャンネルデータを記憶している。ＨＤＤ１９は、制御部１７が実行するプログラムやこのプログラムにて用いられるデータ、リモコン４のチャンネルボタンの配置データを記憶するハードディスクドライブである。
【００１４】
映像端子２１は、外部記憶装置（ＤＶＤ、ビデオ装置、ＨＤＤ（ハードディスク）、半導体メモリなど）などの外部装置５との間で、映像信号を入力するための接続端子であり、入力した映像信号は映像受信部２２から映像処理部１４に出力される。各部１１〜２２はシステムバス２３により接続されている。
【００１５】
図２は本発明の第１の実施形態であるリモコン４の主要な構成を示す機能ブロック図である。このリモコン４は、リモコン４の操作ボタンからの操作信号を判別する操作部４０ａと、判別した操作信号をリモコンコードへの変換やリモコン４全体を制御する制御部４０ｂと、リモコンコードを赤外線信号に変換して出力する通信部４０ｃから構成されている。図３は放送受信装置１の操作ボタンの概略配置を示したリモコン４の外観図である。ユーザがこれら操作ボタンのいずれかを押下し操作すると、リモコン４は、赤外線によるリモコンコードを送信し、リモコン受信部２０はこのリモコンコードを受信するようになっている。放送受信装置１はリモコン受信部２０で受信したリモコンコードに応じた動作を行う。電源ボタン４１は放送受信装置１の電源をオン及びオフするためのボタンである。チャンネルボタン４２はユーザが視聴する放送番組のチャンネルを選択するためのボタンである。カーソル移動ボタン４３ａ〜４３ｄはＴＶモニタ３にＯＳＤ表示された選択項目を選択するためのカーソルを上下左右へと移動させるためのボタンである。決定ボタン４４はこのような選択項目を確定するためのボタンである。
【００１６】
図４は、本発明の第１の実施形態における、チャンネル選択処理の流れを示すフローチャートである。図４のフローチャートに示すステップ順に基づいて以下説明する。
【００１７】
ユーザが図３に示すリモコン４の電源ボタン４１を押下すると放送受信装置１の電源が投入され、その後にユーザが視聴する放送番組のチャンネルを図３に示すチャンネルボタン４２から１箇所のチャンネルボタンを選択し押下する。図２に示すリモコン４の操作部４０ａが操作信号を判別し、制御部４０ｂでリモコンコードに変換し、通信部４０ｃからリモコンコードを赤外線信号に変換して出力する。図１に示すリモコン受信部２０はリモコン４の通信部４０ｃからチャンネルボタンのリモコンコードを受信すると、リモコンコードの赤外線信号を電気信号に変換して制御部１７に出力し、制御部１7はリモコンコードを読み込みチャンネル選択処理を開始する。
【００１８】
制御部１７は、ユーザが選択したチャンネルが無信号であるか判定するために、デジタルチューナ１１から選択チャンネルの同期信号を取り出し、ユーザが選択したチャンネルが無信号であるかチェックする(ステップＡ１)。無信号であればリモコン４の選択したチャンネルボタンの上下左右に配置されているチャンネルボタンの番号を取り出すステップＡ２の処理を行い、無信号でなければ選択したチャンネルの放送番組を表示するステップＡ１３の処理に進む。
【００１９】
制御部１７は、ユーザが間違って選択したチャンネルのチャンネル候補を取り出すために、まず、予めＨＤＤ１９に記憶している図３に示すチャンネルボタン４２の配置データをＨＤＤ１９から読み込む。読み込んだチャンネルボタン４２の配置データから、選択したチャンネルボタンの上下左右に配置されているチャンネルボタンの番号を取り出す(ステップＡ２)。例えば、ユーザがチャンネルボタン５を選択した場合は、図３に示すチャンネルボタン４２から上下左右に配置されているチャンネルボタンの番号は２、８、４、６となる。
【００２０】
制御部１７は、取り出した上下左右に配置されているチャンネルボタンの番号を昇順に並び替え、チャンネル候補データを作成し、チャンネル候補データをメモリ１８に記憶する（ステップＡ３）。例えば、取り出したチャンネルボタンの番号が２、８、４、６であれば、取り出したチャンネルボタンの番号を昇順に並び替えると２、４、６、８となり、チャンネル候補データとしてメモリ１８に記憶される。
【００２１】
制御部１７は、チャンネル候補データをメモリ１８から読み込み、チャンネル候補データの各々のチャンネルについてデジタルチューナ１１から同期信号を取り出し、チャンネルが無信号であるかチェックする(ステップＡ４)。無信号のチャンネルがあればチャンネル候補データから無信号のチャンネルを削除するステップＡ５の処理を行い、無信号のチャンネルがなければ直前に選択したチャンネルであるかをチェックするステップＡ６の処理に進む。
【００２２】
無信号のチャンネルはチャンネル候補とはならないので、制御部１７は、チャンネル候補データから無信号のチャンネルを削除し、メモリ１８に記憶する(ステップＡ５)。例えば、チャンネル候補データが２、４、６、８でチャンネル２が無信号であれば、チャンネル２は削除されるのでチャンネル候補データは４、６、８となる。
【００２３】
制御部１７は、ユーザが選択したチャンネルの履歴である選択チャンネルデータをメモリ１８から読み込み、選択チャンネルデータから直前に選択されたチャンネルを取り出す(ステップＡ６)。取り出した直前に選択されたチャンネルがチャンネル候補データのチャンネルと一致しているかチェックする(ステップＡ６)。一致しているチャンネルがあればチャンネル候補データから直前に選択されたチャンネルを削除するステップＡ７の処理を行い、一致しているチャンネルがなければチャンネル候補データをＯＳＤ表示するステップＡ８の処理に進む。
【００２４】
直前に選択されたチャンネルはチャンネル候補とはならないので、制御部１７は、直前に選択されたチャンネルと同じチャンネルをチャンネル候補データから削除する(ステップＡ７)。例えば、チャンネル候補データが４、６、８でチャンネル６が直前に選択されていれば、チャンネル６は削除されるのでチャンネル候補データは４、８となる。
【００２５】
制御部１７は、チャンネル候補データのチャンネルをＴＶモニタ３に表示するために、ＯＳＤ処理部１６にチャンネル候補データを表示する要求を出力する(ステップＡ８)。ＯＳＤ処理部１６は、図５に示すチャンネル候補画面を生成し、チャンネル候補画面を表示処理部１５に出力する(ステップＡ８)。表示処理部１５は、映像処理部１４にて復号化された映像データにＯＳＤ処理部１６にて生成されたチャンネル候補画面を重ね合わせを行い、その重ね合わせた映像データをテレビジョン信号に変換してＴＶモニタ３に出力する(ステップＡ８)。
チャンネル候補画面からのチャンネルの選択は、ＴＶモニタ３にＯＳＤ表示された図５に示すチャンネル候補画面のチャンネルを図３に示すリモコン４のカーソル移動ボタン４３ａ〜４３ｄで選択し、決定ボタン４４で決定することにより行うことができる。
【００２６】
制御部１７は、ＴＶモニタ３にＯＳＤ表示されたチャンネル候補画面からチャンネル番号の選択があるかをチェックする(ステップＡ９)。チャンネルの選択がある場合はチャンネル候補画面を消去するステップＡ１２の処理を行い、チャンネルの選択がない場合は図３に示すチャンネルボタン４２からチャンネルの選択があるかをチェックするステップＡ１０の処理を行う。
【００２７】
チャンネル候補画面にユーザが選択したいチャンネルがないときは、チャンネルボタン４２からユーザはチャンネルを選択をする可能性があるので、制御部１７は、図３に示すチャンネルボタン４２からチャンネルが選択されているかをチェックする(ステップＡ１０)。チャンネルボタン４２からチャンネルが選択されている場合はチャンネル候補画面を消去するステップＡ１２の処理を行い、チャンネルが選択されていない場合は、再度チャンネル選択の有無をチェックするために一定時間待ち状態とするステップＡ１１の処理を行う。
【００２８】
制御部１７は、チャンネル候補画面からまたは図３に示すチャンネルボタン４２からチャンネルが選択されていない場合は、再度チャンネル選択の有無をチェックするために一定時間待ち状態とする(ステップＡ１１)。
【００２９】
制御部１７は、チャンネル候補画面からまたは図３に示すチャンネルボタン４２からチャンネルの選択がされている場合は、選択されたチャンネルの放送番組を表示するためにＯＳＤ表示しているチャンネル候補選択画面を消去する要求をＯＳＤ処理部１６に出力する(ステップＡ１２)。要求を受けたＯＳＤ処理部１６は、表示されているチャンネル候補画面をＴＶモニタ３から消去する(ステップＡ１２)。
【００３０】
制御部１７は、選択されたチャンネルの放送番組をＴＶモニタ３に出力し表示するように音声処理部１３と表示処理部１５に要求する(ステップＡ１３)。音声処理部１３はＴＶモニタ３に設けられたスピーカに該当チャンネルの音声を出力し、また、表示処理部１５はＴＶモニタ３に該当チャンネルの映像を出力しＴＶモニタ３は映像を表示する(ステップＡ１３)。
【００３１】
制御部１７は、ユーザが選択したチャンネルの履歴である選択チャンネルデータをメモリ１８から読み込み、ＴＶモニタ３に表示した放送番組のチャンネルを選択チャンネルデータに追加し(ステップＡ１４)、選択チャンネルデータをメモリ１８に記憶してから本処理を終了する。
【００３２】
このような第１の実施形態によれば、ユーザが１桁のチャンネルを選択し、またそのチャンネルが間違ったチャンネルの場合に、正しい選択がすぐにできるようにチャンネル番号一覧を昇順に並べて表示することができるので、ユーザに使い勝手のよい放送受信装置及び放送受信装置における選局方法を提供することができる。
【００３３】
（第２の実施の形態）
本発明の第２の実施形態は、ユーザが選択したチャンネルのチャンネル番号が２桁である場合のチャンネル選択の補助を行うことができる実施形態である。第２の実施形態の放送受信装置の機能ブロック図は、第１の実施形態である図１の放送受信装置の機能ブロック図と同じである。
【００３４】
図６は、本発明の第２の実施形態における、チャンネル選択処理の流れを示すフローチャートである。図６は、第１の実施形態のフローチャートである図４のステップＡ１からステップＡ３をステップＢ１からステップＢ４に変更している以外は同じであるので、以下ステップＢ１からステップＢ４について説明する。図６のフローチャートに示すステップＡ４からステップＡ１４については、図５のチャンネル候補画面を図７のチャンネル候補画面に変更する以外は、第１の実施形態のフローチャートの説明と同じである。図６のフローチャートに示すステップＢ１からステップＢ４について以下ステップ順に説明する。
【００３５】
ユーザが図３に示すリモコン４の電源ボタン４１を押下すると放送受信装置１の電源が投入され、その後にユーザが視聴する放送番組のチャンネルを図３に示すチャンネルボタン４２から２箇所のチャンネルボタンを選択し押下する。図２に示すリモコン４の操作部４０ａが操作信号を判別し、制御部４０ｂでリモコンコードに変換し、通信部４０ｃからリモコンコードを赤外線信号に変換して出力する。図１に示すリモコン受信部２０はリモコン４の通信部４０ｃからリモコンコードの赤外線信号を受信すると、赤外線信号を電気信号に変換して制御部１７に出力し、制御部１7は電気信号のリモコンコードを読み取りチャンネル選択処理を開始する。
【００３６】
制御部１７は、ユーザが選択したチャンネルが無信号であるか判定するために、デジタルチューナ１１から選択チャンネルの同期信号を取り出し、ユーザが選択したチャンネルが無信号であるかチェックする(ステップＢ１)。無信号であればリモコン４の選択したチャンネルボタンの上下左右に配置されているチャンネルボタンの番号を取り出すステップＢ２の処理を行い、無信号でなければ選択したチャンネルの放送番組を表示するステップＡ１３の処理に進む。
【００３７】
制御部１７は、ユーザが間違って選択したチャンネルのチャンネル候補を取り出すために、まず、予めＨＤＤ１９に記憶している図３に示すチャンネルボタン４２の配置データをＨＤＤ１９から読み込む。読み込んだチャンネルボタン４２の配置データから選択したチャンネルボタンの１０の位の上下左右に配置されているチャンネルボタンの番号を取り出す(ステップＢ２)。例えば、ユーザが１０の位についてチャンネルボタン２を選択した場合は、図３に示すチャンネルボタン４２から上下左右に配置されているチャンネルボタンの番号は５、１、３となる。この場合、チャンネルボタン２の上に配置されているチャンネルボタンはないのでなしとなる。
【００３８】
次に制御部１７は、図３に示すチャンネルボタン４２の配置データから選択したチャンネルボタンの１の位の上下左右に配置されているチャンネルボタンを取り出す(ステップＢ３)。例えば、ユーザが１の位についてチャンネルボタン６を選択した場合は、図３に示すチャンネルボタン４２から上下左右に配置されているチャンネルボタンの番号は３、９、５となる。この場合、チャンネルボタン６の右に配置されているチャンネルボタンはないのでなしとなる。
【００３９】
制御部１７は、ステップＢ２で取り出した１０の位とステップＢ３で取り出した１の位の上下左右に配置されているチャンネルボタンの番号を取り出し、選択した１０の位のチャンネルボタンの番号のみが正しく選択された場合の組み合わせと選択した１の位のチャンネルボタンの番号のみが正しく選択された場合の組み合わせを作成する。これは同時に１０の位と１の位を押し間違える確率が低いためである。これらの予測される組み合わせの番号を昇順に並び替え、チャンネル候補データを作成し、チャンネル候補データをメモリ１８に記憶する（ステップＢ４）。
例えば、１０の位が２で１の位が６のチャンネル２６を選択した場合は、選択した１０の位のチャンネル２のみが正しく選択された組み合わせを作成すると２３、２９、２５となる。また、選択した１の位のチャンネル６のみが正しく選択された組み合わせを作成すると５６、１６、３６となる。これらの予測される組み合わせの番号を昇順に並び替えると、チャンネル候補データとして１６、２３、２５、２９、３６、５６となる。
更に、チャンネル２３とチャンネル５６が無信号であれば、チャンネル２３とチャンネル５６は削除されるのでチャンネル候補データは１６、２５、２９、３６となる。また、チャンネル２５が直前に選択されていれば、チャンネル２５は削除されるのでチャンネル候補データは１６、２９、３６となり、図７に示すチャンネル候補画面が生成され、ＴＶモニタ３にＯＳＤ表示される。
【００４０】
このような第２の実施形態によれば、ユーザが選択するチャンネルが複数桁であり、またそのチャンネルが間違ったチャンネルの場合であっても、正しい選択がすぐにできるようにチャンネル番号一覧を昇順に並べて表示することができるので、ユーザに使い勝手のよい放送受信装置及び放送受信装置における選局方法を提供することができる。
【００４１】
（第３の実施の形態）
本発明の第３の実施形態は、チャンネル候補データを表示する場合に図８に示すようにＴＶモニタ３にチャンネル映像の画面であるチャンネル画面を昇順に並べて表示する実施形態である。第３の実施形態の放送受信装置の機能ブロック図は、第１の実施形態である図１の放送受信装置の機能ブロック図と同じである。また、第３の実施形態のフローチャートは、第１の実施形態である図４のチャンネル選択処理の流れを示すフローチャートのステップＡ８において、チャンネル候補のチャンネル番号一覧のＯＳＤ表示をチャンネル候補データのチャンネル画面を表示するように変更する。ステップＡ８の変更箇所以外は図４のチャンネル選択処理の流れを示すフローチャートと同じである。
【００４２】
このような第３の実施形態によれば、ユーザが間違ったチャンネルを選択した場合に、正しい選択がすぐにできるようにチャンネル画面一覧を昇順に並べて表示することができるので、ユーザに使い勝手のよい放送受信装置及び放送受信装置における選局方法を提供することができる。尚、本発明の放送受信装置はアナログＴＶでもよく、またリモコンが用いられない場合でも本発明を適用することが可能である。
【産業上の利用可能性】
【００４３】
本発明は、放送受信装置及び放送受信装置における選局方法に好適であるが、放送受信装置及び放送受信装置における選局方法に限られるものではない。
【図面の簡単な説明】
【００４４】
【図１】本発明の第１の実施形態である放送受信装置の機能ブロック図
【図２】本発明の第１の実施形態であるリモコンの機能ブロック図
【図３】放送受信装置のリモコンによる操作を説明するためのリモコンの一例を示す図
【図４】本発明の第１の実施形態であるチャンネル選択処理を示すフローチャート
【図５】本発明の第１の実施形態であるチャンネル候補画面の一例を示す図
【図６】本発明の第２の実施形態であるチャンネル選択処理を示すフローチャート
【図７】本発明の第２の実施形態であるチャンネル候補画面の一例を示す図
【図８】本発明の第３の実施形態であるチャンネル候補画面の一例を示す図
【符号の説明】
【００４５】
１・・・放送受信装置
２・・・アンテナ
３・・・ＴＶモニタ
４・・・リモコン
５・・・外部装置
１１・・・デジタルチューナ
１２・・・ＴＳデコーダ
１３・・・音声処理部
１４・・・映像処理部
１５・・・表示処理部
１６・・・ＯＳＤ処理部
１７・・・制御部
１８・・・メモリ
１９・・・ＨＤＤ
２０・・・リモコン受信部
２１・・・映像端子
２２・・・映像受信部
２３・・・システムバス
４０ａ・・操作部
４０ｂ・・制御部
４０ｃ・・通信部
４１・・・電源ボタン
４２・・・チャンネルボタン
４３ａ・・カーソル移動ボタン(上)
４３ｂ・・カーソル移動ボタン(下)
４３ｃ・・カーソル移動ボタン(左)
４３ｄ・・カーソル移動ボタン(右)
４４・・・決定ボタン
【図１】
2009105814.tif 000003
【図２】
2009105814.tif 000004
【図３】
2009105814.tif 000005
【図４】
2009105814.tif 000006
【図５】
2009105814.tif 000007
【図６】
2009105814.tif 000008
【図７】
2009105814.tif 000009
【図８】
2009105814.tif 000010
【手続補正書】
【提出日】平成19年11月15日(2007.11.15)
【手続補正１】
【補正対象書類名】図面
【補正対象項目名】全図
【補正方法】変更
【補正の内容】
【図５】
2009105814.tif 000011
【図７】
2009105814.tif 000012
【図１】
2009105814.tif 000013
【図２】
2009105814.tif 000014
【図３】
2009105814.tif 000015
【図４】
2009105814.tif 000016
【図６】
2009105814.tif 000017
【図８】
2009105814.tif 000018